(57)【特許請求の範囲】
【請求項１】
冷蔵庫本体の下部に設けた貯蔵室と、前記貯蔵室の後方に設けた機械室と、前記機械室内に配置した冷凍サイクルの圧縮機と、前記貯蔵室内の後方に設けた冷却器と、前記冷却器の後方の断熱壁中に凹陥状に設けた電気部品収納部と、前記電気部品収納部内に配置した電子制御基板と、前記電気部品収納部の背面開口部と前記機械室の背面開口部とを一体に覆う背面カバーとを有し、前記電気部品収納部の外周縁に対向する前記背面カバーに圧縮性シール部材を備え、前記背面カバーの外周部固定部材とは別に、前記シール部材をビスにより圧接固定したことを特徴とする冷蔵庫。
【請求項２】
圧縮機を、冷却器及び電気部品収納部の側方に、断熱壁を隔てて設けたことを特徴とする請求項１に記載の冷蔵庫。
【請求項３】
冷却器の除霜水を貯留し蒸発させる蒸発皿を冷却器の下方に配置し、前記蒸発皿と電気部品収納部との間を区画する断熱壁を設けたことを特徴とする請求項１または２に記載の冷蔵庫。
【発明の詳細な説明】
【０００１】
【発明の属する技術分野】
本発明は冷蔵庫の電子制御基板等を収納する電気部品収納部の配置構成に関するものである。
【０００２】
【従来の技術】
従来の冷蔵庫について、図面を参照しながら説明する。
【０００３】
図８は従来の冷蔵庫の断面図である。
【０００４】
図８において１は冷蔵庫本体であり、２は鋼板製の外箱、３は樹脂製の内箱、４は前記外箱２と内箱３との間に発泡充填した断熱材である。５は前記外箱２の上部後方に凹陥状、すなわち外箱外表面を凹ませて形成した電気部品収納部であり、内部に電子制御基板６を収納している。７は前記電気部品収納部５を覆う鋼板製の閉塞板である。また、８は前記冷蔵庫本体１の下部後方に設置され、電動機で駆動する冷凍サイクルの圧縮機である。
【０００５】
以上のように構成された冷蔵庫について、以下その動作を説明する。
【０００６】
電気部品収納部５に収納される電子制御基板６は、圧縮機８の運転時などに通電され発熱するが、閉塞板７が鋼板製のため熱伝導が良く、また閉塞板７の面積が広くとれるので排熱が効率的に行え、発熱量の大きな部品も使えることになり設計の自由度が広がる、としている（例えば、特許文献１参照。）。
【０００７】
次に、他の従来例について、図面を参照しながら説明する。
【０００８】
図９は他の従来の冷蔵庫の斜視図である。
【０００９】
図９において９は冷蔵庫本体であり、１０は鋼板製の外箱、１１は樹脂製の内箱、１２は前記外箱１０と内箱１１との間に発泡充填した断熱材である。１３は前記冷蔵庫本体９の内部に形成した貯蔵室である。１４は前記冷蔵庫本体９の下部後方に形成された機械室であり、１５は前記機械室１４内に配置され、電動機で駆動する冷凍サイクルの圧縮機である。
【００１０】
また、１６は前記機械室１４内で前記外箱１０の底辺に一体に設けた補強板であり、１７は前記機械室１４内の側端部で前記補強板１６にビス止めなどで固定した電気部品収納部である。前記電気部品収納部１７は収納箱１８と前記収納箱１８の開口部を閉塞する蓋体１９で構成され、内部に電子制御基板２０を収納している。
【００１１】
以上のように構成された冷蔵庫について、以下その動作を説明する。
【００１２】
電気部品収納部１７に収納される電子制御基板２０は、圧縮機１５の運転時などに通電され発熱するが、電気部品収納部１７が機械室１４内に配置されているため貯蔵室１３側への熱影響を少なくでき、消費電力の増加を抑えることができる、としている（例えば、特許文献２参照。）。
【００１３】
【特許文献１】
特開平５−８７４４３号公報
【特許文献２】
特開平１０−１４８４６３号公報
【００１４】
【発明が解決しようとする課題】
しかしながら、上記従来例の構成では、電子制御基板６と制御する被制御部品、特に圧縮機８との距離が離れており、配線のためのコストが増加したり、組立作業が複雑になるという欠点があった。
【００１５】
本発明は従来の課題を解決するもので、電子制御基板と被制御部品の距離を短縮して電気配線を簡素化することを目的としている。
【００１６】
また、上記他の従来例の構成では、電気部品収納部１７が機械室１４内の空間に高温を発する圧縮機１５と隔てられずに設けられているため電子制御基板２０の雰囲気温度が高くなり、電子制御基板２０に取り付けられた部品の耐熱信頼性や寿命に影響を及ぼすという欠点があった。
【００１７】
本発明は従来の課題を解決するもので、電子制御基板周辺の雰囲気温度の上昇を抑えて信頼性を高めることを目的としている。
【００１８】
【課題を解決するための手段】
本発明の請求項１に記載の発明は、冷蔵庫本体の下部に設けた貯蔵室と、前記貯蔵室の後方に設けた機械室と、前記機械室内に配置した冷凍サイクルの圧縮機と、前記貯蔵室内の後方に設けた冷却器と、前記冷却器の後方の断熱壁中に凹陥状に設けた電気部品収納部と、前記電気部品収納部内に配置した電子制御基板と、前記電気部品収納部の背面開口部と前記機械室の背面開口部とを有し、前記電気部品収納部の外周縁に対向する前記背面カバーに圧縮性シール部材を備え、前記背面カバーの外周部固定部材とは別に、前記シール部材をビスにより圧接固定したものであり、電子制御基板と圧縮機など被制御部品の距離が短縮される。また、電気部品収納部に独立したカバーが不要となる。さらに電気部品収納部内に熱や水分が直接侵入しない。
【００１９】
請求項２に記載の発明は、請求項１に記載の発明において、圧縮機を、冷却器及び電気部品収納部の側方に、断熱壁を隔てて設けたものであり、電気部品収納部に圧縮機の熱が直接作用せず、電子制御基板の外的温度上昇が抑制される。
【００２０】
請求項３に記載の発明は、請求項１または２に記載の発明に、さらに、除霜水の蒸発皿を冷却器の下方に配置し、蒸発皿と電気部品収納部との間に断熱壁を設けたものであり、蒸発皿の発生熱の電気部品収納部への侵入が抑制される。
【００２２】
【発明の実施の形態】
【００２３】
【実施例】
以下、本発明による冷蔵庫の実施例について、図面を参照しながら説明する。
【００２４】
（実施例１）
図１は、本発明の実施例１による冷蔵庫の側断面図である。図２は、同実施例の冷蔵庫の背面図である。
【００２５】
図１、図２において、２１は冷蔵庫本体であり、鋼板製の外箱２２と樹脂製の内箱２３との間に断熱材２４を発泡充填して形成した断熱壁２５により構成される。２６は前記冷蔵庫本体２１の内部を上下に区画する断熱区画壁であり、上部に冷蔵貯蔵室２７、下部に冷凍貯蔵室２８を区画形成している。
【００２６】
２９は前記冷凍貯蔵室２８の後方に断熱壁２５を介して設けた機械室であり、３０は前記機械室２９内に配置した冷凍サイクルの圧縮機である。３１は前記冷凍貯蔵室２８内の後方に配置した冷凍サイクルの冷却器であり、３２は前記冷却器３１の上部近傍に配置した強制通風用の送風機である。３３は前記冷却器３１の下部に設けた除霜ヒーターである。
【００２７】
一方、３４は前記冷却器３１の後方に断熱壁２５を介して凹陥状に設けた電気部品収納部であり、内部に前記圧縮機３０、送風機３２、除霜ヒーター３３などの被制御部品を制御するための電子制御基板３５が収納されている。また、３６は前記機械室２９の開口部を覆う機械室カバー、３７は前記電気部品収納部３４の開口部を覆うカバーである。
【００２８】
以上のように構成された冷蔵庫について、以下その動作を説明する。
【００２９】
被制御部品を駆動制御する電子制御基板３５が冷却器３１の後方の庫外側に収納されているため、被制御部品である圧縮機３０、送風機３２、除霜ヒーター３３との距離が近接して配置されることになる。このため、電気配線が短く簡素化でき、安価になり作業工数も低減できる。また、電気配線の複雑な引き回しが少なくなり、電波雑音障害などの影響も軽減できる。
【００３０】
また、電子制御基板３５は断熱壁２５に凹陥状に形成した電気部品収納部３４内に収められ、機械室２５内で圧縮機３０が発生する熱が直接作用しない構造となっているため、電子制御基板３５に取り付けられた部品や周辺に収められた電気部品の温度上昇が低減されて信頼性が高まる。
【００３１】
（実施例２）
図３は、本発明の実施例２による冷蔵庫の側断面図である。図４は、同実施例の冷蔵庫の背面図である。図５は、図３のＡ−Ａ線における断面図である。
【００３２】
図３から図５において、３８は冷蔵庫本体であり、鋼板製の外箱３９と樹脂製の内箱４０との間に断熱材４１を発泡充填して形成した断熱壁４２により構成される。４３は前記冷蔵庫本体３８の内部を上下に区画する断熱区画壁であり、上部に冷蔵貯蔵室４４、下部に冷凍貯蔵室４５を区画形成している。
【００３３】
４６は前記冷凍貯蔵室４５内の左右の一側の後方に配置した冷凍サイクルの冷却器であり、４７は前記冷却器４６の上部近傍に配置した強制通風用の送風機である。４８は前記冷却器４６の下部に設けた除霜ヒーターであり、４９は前記除霜ヒーター４８で融解した冷却器４６の除霜水を前記断熱壁４２を貫通して庫外に導出するための排水管である。
【００３４】
５０は前記冷凍貯蔵室４５の左右の他側の後方に配置した機械室であり、内部に冷凍サイクルの圧縮機５１が配置されている。そして、前記圧縮機５１は前記冷却器４６と断熱壁４２ａを隔てて左右方向に並べて設けられている。５２は冷蔵庫本体３８の底部に配置した凝縮器、５２ａは前記圧縮機５１から前記凝縮器５２に至る間の凝縮配管である。また、５３は冷却器４６の下方に断熱壁４２を隔てて設けられ、前記凝縮配管５２ａにより蒸発促進される除霜水蒸発用の蒸発皿であり、前記排水管３９の出口側の直下に配置されている。
【００３５】
また、５４は冷却器４６の後方の断熱壁４２中に凹陥状に設けられ、冷蔵庫本体３８の背面に開口した電気部品収納部であり、内部に前記圧縮機５１、送風機４７、除霜ヒーター４８などの被制御部品を制御するための電子制御基板５５が収納されている。
【００３６】
また、５６は前記機械室５０の背面開口部を覆う機械室カバー、５７は前記電気部品収納部５４の背面開口部を覆うカバーである。
【００３７】
以上のように構成された冷蔵庫について、以下その動作を説明する。
【００３８】
被制御部品を駆動制御する電子制御基板５５が冷却器４６の後方の庫外側に収納されているため、被制御部品である圧縮機５１、送風機４７、除霜ヒーター４８との距離が近接して配置されることになる。特に冷却器４６と圧縮機５１が左右方向に並設されて両者の高さ方向の距離が一層縮まることになるため、電気配線が一層短く簡素化でき、安価になり作業工数も低減できる。また、電気配線の複雑な引き回しがより少なくなり、電波雑音障害などの影響も一層軽減できる。
【００３９】
また、電子制御基板５５は断熱壁４２中に凹陥状に形成した電気部品収納部５４内に収められ、断熱壁４２ａの断熱作用によって機械室５０内で圧縮機５１が発生する熱が直接作用しない構造となっているため、電子制御基板５５に取り付けられた部品や周辺に収められた電気部品の温度上昇が低減されて信頼性が高まる。特に冷却器４６と圧縮機５１が左右方向に並設されることによって電気部品収納部５４が圧縮機５１の直上部に配置されないため圧縮機の上昇熱の影響を直接被らず、電子制御基板５５や周辺部品の温度上昇を一層抑制する効果がある。
【００４０】
一方、冷凍サイクルの配置構成についてみると、圧縮機５１を冷蔵庫本体３８の中心線より横にずらせ、機械室５０内の無効空間を圧縮して冷蔵庫本体３８の幅の略半幅にまで縮めている。そして、無効空間を縮めて新たに生じた庫内側の空間に、奥行きと高さ寸法を調整して冷却能力を維持する配慮をしながら冷却器４６が収められている。
【００４１】
このため、圧縮機５１の上方に冷却器４６を配置して冷蔵庫の幅方向に無効空間をつくることがなくなり、その分庫内の有効な収納容積が増加する。また、重量の大きい圧縮機５１と冷却器４６を左右方向に並べて配置することにより、冷蔵庫本体３８の重心が低重心となり設置安定性が増す。
【００４２】
また、最近の台所の住宅環境を考慮すると、有効容積が増大する分、冷蔵庫本体３８の奥行き減に活用することにより、周辺の食器棚等からはみだすことのない設置性の向上した冷蔵庫を提供することもできる。
【００４３】
また、冷却機能部品と冷却制御部品全体の実装効率という観点では、冷凍貯蔵室４５の後方および下部に部品を集約して配置構成しているため非常に実装効率の高いコンパクトな設計となる。このため、冷凍サイクルの配管も短く簡素化でき、安価になり組立て作業性も向上するほか、製造工程でこれらの集約した構成体をブロック構造としてあらかじめ組み立てておいて冷蔵庫本体３８に組み付ければ、作業行程が大幅に簡素化できる。
【００４４】
また、このようなブロック構造とすれば冷蔵庫の大きさや種類による部品の共用化や標準化に対応しやすくなり、一層の低コスト化や生産工程の合理化が可能となる。さらに、近年、環境保護の観点から、廃棄冷蔵庫の材料、部品リサイクルの取り組みが活発になってきているが、冷却機能部品と冷却制御部品を集約したブロック構造を取ることにより、容易にリサイクル部品や材料の解体、取り外しができることになり、資源再生に貢献する冷蔵庫の構造体を提供することができる。
【００４５】
（実施例３）
図６は、本発明の実施例３による冷蔵庫の背面図である。図７は、同実施例の冷蔵庫の背面カバーを外した背面図である。
【００４６】
図６、図７において、５８は冷蔵庫本体であり、５９は機械室５０の背面開口部と電気部品収納部５４の背面開口部を一体に覆う背面カバーである。６０は前記背面カバー５９の電気部品収納部５４の外周縁に対向する部分に貼り付けられた独立気泡性の発泡フォームなど圧縮性のあるシール部材であり、その下辺は蒸発皿５３と電気部品収納部５４との間を隔てる断熱壁４２ｂに当接するよう位置決めされている。そして、前記背面カバー５９はその外周部をビスにより螺着固定されると同時に、電気部品収納部５４内の下端近傍に形成した固定部６１にもビスで螺着固定されている
以上のように構成された冷蔵庫について、以下その動作を説明する。
【００４７】
機械室５０の背面開口部と電気部品収納部５４の背面開口部を背面カバー５９によって一体に覆うため、個別の独立したカバーをそれぞれ取り付ける手間がなく、取付工数の削減や部品点数の削減によるコスト低減が図れる。
【００４８】
また、電気部品収納部５４は断熱壁４２ｂによって下方に配置された蒸発皿５３と断熱されており、また背面カバー５９が外周及び固定部６１の対向部でビスにより螺着固定されているため、背面カバー５９に貼り付けられたシール部材６０が電気部品収納部５４の断熱壁４２ｂを含めた外周縁に圧接シールされる。
【００４９】
このため、蒸発皿５３内の除霜水が凝縮配管５２ａによって加熱されることによって生じる上昇熱や水蒸気が遮断され、電気部品収納部５４内に直接侵入せず電子制御基板５５に影響を及ぼさない。従って、電子制御基板５５に取り付けられた電気部品やはんだなどの耐久性を劣化促進させることがなく、信頼性や安全性を一層高めることができる。
【００５０】
また、背面カバー５９は機械室５０と電気部品収納部５４を一体に覆うため、冷蔵庫本体５８の背面の美観が向上し意匠的な効果が高まる。
【００５１】
【発明の効果】
以上説明したように請求項１に記載の発明は、冷蔵庫本体の下部に設けた貯蔵室と、前記貯蔵室の後方に設けた機械室と、前記機械室内に配置した冷凍サイクルの圧縮機と、前記貯蔵室内の後方に設けた冷却器と、前記冷却器の後方の断熱壁中に凹陥状に設けた電気部品収納部と、前記電気部品収納部内に配置した電子制御基板と、前記電気部品収納部の背面開口部と前記機械室の背面開口部とを一体に覆う背面カバーとを有し、前記電気部品収納部の外周縁に対向する前記背面カバーに圧縮性シール部材を備え、前記背面カバーの外周部固定部材とは別に、前記シール部材をビスにより圧接固定したものであり、電子制御基板と圧縮機など被制御部品間の電気配線が短く簡素化でき、安価になり作業工数も低減できる。また、電波雑音障害などの影響も軽減できる。また、圧縮機の熱が直接作用せず電子制御基板及び周辺の部品の温度上昇が低減されて信頼性が高まる。また、背面カバーの取付工数の削減や部品点数の削減によるコスト低減が図れる。また、電気部品収納部内に熱や水分が直接侵入しないので、信頼性が高まる。
【００５２】
請求項２に記載の発明は、請求項１に記載の発明において、圧縮機を、冷却器及び電気部品収納部の側方に、断熱壁を隔てて設けたものであり、冷却器と圧縮機が左右方向に並設されて電子制御基板と圧縮機など被制御部品間の高さ方向の距離が一層縮まることになるため、電気配線が一層短く簡素化でき、安価になり作業工数も低減できる。また、電波雑音障害などの影響も一層軽減できる。
【００５３】
また、断熱壁の断熱作用によって圧縮機の熱が直接作用せず、電子制御基板や周辺部品の温度上昇が低減されて信頼性が高まる。特に冷却器と圧縮機が左右方向に並設され、電気部品収納部が圧縮機の直上部に配置されないため圧縮機の上昇熱の影響を直接被らない。
【００５４】
また、冷却器と圧縮機が左右方向に並設されて冷蔵庫の幅方向の無効空間がなくなり、有効な収納容積が増加する。また、冷蔵庫本体の重心が低重心となり設置安定性が増す。
【００５５】
また、有効容積が増大する分、冷蔵庫本体の奥行き減に活用することにより、周辺の食器棚等からはみだすことのない設置性の向上した冷蔵庫を提供することができる。
【００５６】
また、冷却機能部品と冷却制御部品を下部貯蔵室の後方に集約して配置構成しているため冷凍サイクルの配管も短く実装効率の高いコンパクトな設計となり、ブロック構造による組立工程の大幅な簡素化ができる。また、部品の共用化や標準化による一層の低コスト化や生産工程の合理化が可能となる。
【００５７】
さらに、集約構造により容易にリサイクル部品や材料の解体、取り外しができ、資源再生に貢献する冷蔵庫の構造体を提供することができる。
【００５８】
請求項３に記載の発明は、請求項１または２に記載の発明に、さらに、除霜水の蒸発皿を冷却器の下方に配置し、蒸発皿と電気部品収納部との間に断熱壁を設けたもので、蒸発皿の発生熱の電気部品収納部への直接侵入が抑制され電子制御基板や周辺部品の信頼性が向上する。
【図面の簡単な説明】
【図１】本発明による冷蔵庫の実施例１の断面図
【図２】同実施例の冷蔵庫の背面図
【図３】本発明による冷蔵庫の実施例２の断面図
【図４】同実施例の冷蔵庫の背面図
【図５】図３のＡ−Ａ線断面図
【図６】本発明による冷蔵庫の実施例３の断面図
【図７】同実施例の冷蔵庫の背面カバーを外した背面図
【図８】従来の冷蔵庫の断面図
【図９】他の従来の冷蔵庫の斜視図
【符号の説明】
２１  冷蔵庫本体
２５  断熱壁
２８  冷凍貯蔵室（貯蔵室）
２９  機械室
３０  圧縮機
３１  冷却器
３４  電気部品収納部
３５  電子制御基板
３８  冷蔵庫本体
４２  断熱壁
４２ａ  断熱壁
４２ｂ  断熱壁
４５  冷凍貯蔵室（貯蔵室）
４６  冷却器
５０  機械室
５１  圧縮機
５３  蒸発皿
５４  電機部品収納部
５５  電子制御基板
５８  冷蔵庫本体
５９  背面カバー
６０  シール部材
【図１】
0004165204.tif 000002
【図２】
0004165204.tif 000003
【図３】
0004165204.tif 000004
【図４】
0004165204.tif 000005
【図５】
0004165204.tif 000006
【図６】
0004165204.tif 000007
【図７】
0004165204.tif 000008
【図８】
0004165204.tif 000009
【図９】
0004165204.tif 000010